(57)【要約】【課題】Ｗｅｂサーバの監視精度を維持し、かつ、監視端末の処理負荷を抑制できる監視装置、方法及びプログラムを提供すること。【解決手段】監視装置１は、複数のＷｅｂサーバ２へＷｅｂページ画面の閲覧要求を送信し、ページデータを受信するページデータ取得部１２と、ページデータに基づくＷｅｂページ画面のそれぞれをページ画像データに変換する画像化部１４と、複数のページ画像データを連結し、１つの監視画像データを生成する監視画像生成部１６と、を備える。【選択図】図１
2011170478.tif 000002
【特許請求の範囲】
【請求項１】
複数のＷｅｂサーバが同一のページデータを保持しているシステムにおいて、当該複数のＷｅｂサーバのそれぞれから提供される前記ページデータに基づく複数のＷｅｂページ画面を監視端末で比較表示させる監視装置であって、
前記複数のＷｅｂサーバへ、前記Ｗｅｂページ画面の閲覧要求を送信し、前記ページデータを受信する監視対象取得手段と、
前記ページデータに基づくＷｅｂページ画面のそれぞれをページ画像データに変換する画像化手段と、
前記画像化手段により変換された複数の前記ページ画像データを連結し、１つの監視画像データを生成する監視画像生成手段と、を備える監視装置。
【請求項２】
前記画像化手段は、前記ページデータの中に、前記閲覧要求の度に表示が変化する部分がある場合、当該部分を所定の表示に置き換えたＷｅｂページ画面を前記ページ画像データに変換する請求項１に記載の監視装置。
【請求項３】
前記ページ画像データのそれぞれを比較し、一致するか否かを判断する比較手段をさらに備え、
前記監視画像生成手段は、前記比較手段により互いに一致すると判断された所定以上の割合のページ画像データに対して、異なるページ画像データを強調表示する前記監視画像データを生成する請求項１又は請求項２に記載の監視装置。
【請求項４】
前記比較手段は、前記ページ画像データのそれぞれを比較し、他のページ画像データと異なる部分を検出し、
前記監視画像生成手段は、前記比較手段により検出された前記異なる部分が表示されるように、前記ページ画像データの全てを一様にトリミングした後、前記監視画像データを生成する請求項３に記載の監視装置。
【請求項５】
複数のＷｅｂサーバが同一のページデータを保持しているシステムにおいて、当該複数のＷｅｂサーバのそれぞれから提供される前記ページデータに基づく複数のＷｅｂページ画面を、監視端末で比較させるための監視画像データを監視装置が生成する方法であって、
前記複数のＷｅｂサーバへ、前記Ｗｅｂページ画面の閲覧要求を送信し、前記ページデータを受信する監視対象取得ステップと、
前記ページデータに基づくＷｅｂページ画面のそれぞれをページ画像データに変換する画像化ステップと、
前記画像化ステップにおいて変換された複数の前記ページ画像データを連結し、１つの監視画像データを生成する監視画像生成ステップと、を含む方法。
【請求項６】
請求項５に記載の方法を前記監視装置に実行させるプログラム。
【発明の詳細な説明】
【技術分野】
【０００１】
本発明は、Ｗｅｂサーバを監視する装置、方法及びプログラムに関する。
【背景技術】
【０００２】
従来、インターネット上でＷｅｂサービスを提供するシステムは、同時にサービスを利用するユーザ数に応じて、複数のＷｅｂサーバを可動させて処理負荷の分散を図っている。これらの複数のＷｅｂサーバは、ユーザの端末からの要求に応じて同一のＷｅｂページを提供する必要がある。ところが、サーバのハードウェア障害や通信障害、あるいはＷｅｂサーバへのページデータのリリース漏れ等により、特定のＷｅｂサーバから正常な応答が得られない場合がある。そこで、システムの管理者は、各Ｗｅｂサーバからの応答が正常であるか否かを定期的に比較監視する。
【０００３】
ところで、管理者がＷｅｂサーバを監視する際には、各Ｗｅｂサーバへ同一の要求を送信した場合の応答を、監視端末で比較表示させることにより、目視による監視を行うことが多い。この監視作業の負荷を軽減するため、例えば、特許文献１では、監視対象サーバのＨＴＭＬドキュメントの中に予め登録されている文字列があるか否かを検索することにより、監視対象サーバの監視を自動化するシステムが提案されている。
【先行技術文献】
【特許文献】
【０００４】
【特許文献１】特開２００１−４３１５７号公報
【発明の概要】
【発明が解決しようとする課題】
【０００５】
しかしながら、特許文献１のシステムでも、Ｗｅｂページの実際の表示状態の異常を正確に検出することは難しい。例えば、Ｗｅｂページ画面に正しい画像が表示されるか否かは、文字列の比較では判断できない場合が多く、また、広告欄等の表示が一定でない部分は、正常であっても異常であると判断されるおそれがある。
【０００６】
したがって、ユーザが目にするＷｅｂページ画面が実際に表示された状態を目視により確認することは、Ｗｅｂサーバの監視精度を向上させる上で重要である。しかしながら、監視対象のＷｅｂサーバが多数になると、これらの多数のＷｅｂサーバにより提供されるＷｅｂページ画面を表示させるために、監視端末の処理負荷が増大していた。
【０００７】
本発明は、Ｗｅｂサーバの監視精度を維持し、かつ、監視端末の処理負荷を抑制できる監視装置、方法及びプログラムを提供することを目的とする。
【課題を解決するための手段】
【０００８】
本発明では、以下のような解決手段を提供する。
【０００９】
（１）複数のＷｅｂサーバが同一のページデータを保持しているシステムにおいて、当該複数のＷｅｂサーバのそれぞれから提供される前記ページデータに基づく複数のＷｅｂページ画面を監視端末で比較表示させる監視装置であって、前記複数のＷｅｂサーバへ、前記Ｗｅｂページ画面の閲覧要求を送信し、前記ページデータを受信する監視対象取得手段と、前記ページデータに基づくＷｅｂページ画面のそれぞれをページ画像データに変換する画像化手段と、前記画像化手段により変換された複数の前記ページ画像データを連結し、１つの監視画像データを生成する監視画像生成手段と、を備える監視装置。
【００１０】
このような構成によれば、当該監視装置は、複数のＷｅｂサーバへ、同一のＷｅｂページ画面の閲覧要求を送信し、ページデータを受信する。そして、当該監視装置は、受信されたページデータに基づくＷｅｂページ画面のそれぞれをページ画像データに変換し、変換された複数のページ画像データを連結して１つの監視画像データを生成する。
【００１１】
このことにより、当該監視装置は、監視対象の複数のＷｅｂサーバから、同一のページ閲覧要求に対する応答であるページデータをそれぞれ受信し、これらのページデータに基づく複数のＷｅｂページ画面の画像を連結して１つの監視画像データを生成できる。
【００１２】
したがって、当該監視装置は、生成した監視画像データを監視端末に提供することにより、監視端末にてＷｅｂページ画面の比較表示ができる。その結果、管理者が利用する監視端末は、Ｗｅｂページ画面を比較表示することによるＷｅｂサーバの監視精度を維持できる。さらに、Ｗｅｂページ画面のレンダリング処理を監視装置で行うことにより、監視端末は、１つの監視画像データを表示するのみで、Ｗｅｂページ画面の比較表示ができるため、処理負荷を抑制できる。
【００１３】
（２）前記画像化手段は、前記ページデータの中に、前記閲覧要求の度に表示が変化する部分がある場合、当該部分を所定の表示に置き換えたＷｅｂページ画面を前記ページ画像データに変換する（１）に記載の監視装置。
【００１４】
このような構成によれば、当該監視装置は、ページデータの中に、広告欄等の閲覧要求の度に表示が変化する部分がある場合、この部分を所定の表示に置き換えて監視画像データを生成する。
【００１５】
したがって、管理者は、複数のＷｅｂページ画面を比較する際に、表示が異なっていても異常ではない部分を容易に判断できる。すなわち、当該監視装置は、管理者の判断ミスを低減させ、監視精度を向上させられる。
【００１６】
（３）前記ページ画像データのそれぞれを比較し、一致するか否かを判断する比較手段をさらに備え、前記監視画像生成手段は、前記比較手段により互いに一致すると判断された所定以上の割合のページ画像データに対して、異なるページ画像データを強調表示する前記監視画像データを生成する（１）又は（２）に記載の監視装置。
【００１７】
このような構成によれば、当該監視装置は、監視対象のページ画像データのそれぞれを比較して互いに一致するか否かを判断し、互いに一致すると判断された所定以上の割合のページ画像データに対して、異なるページ画像データを強調表示する監視画像データを生成する。
【００１８】
したがって、管理者は、強調表示されたＷｅｂページ画面を容易に発見できるので、他の多くの画面と異なるＷｅｂページ画面を提供している監視対象のＷｅｂサーバを容易に検出できる。さらに、当該監視装置は、広告欄等の閲覧要求の度に表示が変化する部分を所定の表示に置き換え、この相違していても異常ではない部分を除いて比較できるので、判断ミスを低減させ、監視精度を向上させられる。
【００１９】
（４）前記比較手段は、前記ページ画像データのそれぞれを比較し、他のページ画像データと異なる部分を検出し、前記監視画像生成手段は、前記比較手段により検出された前記異なる部分が表示されるように、前記ページ画像データの全てを一様にトリミングした後、前記監視画像データを生成する（３）に記載の監視装置。
【００２０】
このような構成によれば、当該監視装置は、監視対象のページ画像データのそれぞれを比較して他のページ画像と異なる部分を検出する。そして、当該監視端末は、検出された部分が表示されるように、ページ画像データの全てを一様にトリミングした後、監視画像データを生成する。
【００２１】
したがって、管理者は、異常の可能性がある箇所を容易に発見できるので、検出漏れを低減させ、監視精度を向上させられる。
【００２２】
（５）複数のＷｅｂサーバが同一のページデータを保持しているシステムにおいて、当該複数のＷｅｂサーバのそれぞれから提供される前記ページデータに基づく複数のＷｅｂページ画面を、監視端末で比較させるための監視画像データを監視装置が生成する方法であって、前記複数のＷｅｂサーバへ、前記Ｗｅｂページ画面の閲覧要求を送信し、前記ページデータを受信する監視対象取得ステップと、前記ページデータに基づくＷｅｂページ画面のそれぞれをページ画像データに変換する画像化ステップと、前記画像化ステップにおいて変換された複数の前記ページ画像データを連結し、１つの監視画像データを生成する監視画像生成ステップと、を含む方法。
【００２３】
このような構成によれば、当該方法を監視装置が実行することにより、（１）と同様の効果が期待できる。
【００２４】
（６）（５）に記載の方法を前記監視装置に実行させるプログラム。
【００２５】
このような構成によれば、当該プログラムを監視装置に実行させることにより、（１）と同様の効果が期待できる。
【発明の効果】
【００２６】
本発明によれば、Ｗｅｂサーバの監視精度を維持し、かつ、監視端末の処理負荷を抑制できる。
【図面の簡単な説明】
【００２７】
【図１】第１実施形態に係る監視装置の機能構成を示す図である。
【図２】第１実施形態に係る監視画像テーブルを示す図である。
【図３】第１実施形態に係る監視装置における処理の流れを示すフローチャートである。
【図４】第１実施形態に係る監視端末における画面表示例を示す図である。
【図５】第２実施形態に係る監視装置の機能構成を示す図である。
【発明を実施するための形態】
【００２８】
＜第１実施形態＞
以下、本発明の第１実施形態について図を参照しながら説明する。
【００２９】
［機能構成］
図１は、本実施形態に係る監視装置１の機能構成を示す図である。なお、監視装置１と複数のＷｅｂサーバ２とは、ネットワークを介して互いに接続されている。また、監視装置１と監視端末３とは、所定のネットワーク（例えば、社内ＬＡＮ）に属したクライアント端末であり、監視端末３は、監視装置１が有するデータベースにアクセス可能である。
【００３０】
監視端末３は、複数のＷｅｂサーバ２が同一のページデータを保持して多重化されているシステムにおいて、複数のＷｅｂサーバ２のそれぞれから提供されるページデータに基づく複数のＷｅｂページ画面を比較表示する装置である。
【００３１】
本実施形態は、コンピュータ（監視装置１）及びその周辺装置に適用される。本実施形態における各部は、コンピュータ及びその周辺装置が備えるハードウェア並びに該ハードウェアを制御するソフトウェアによって構成される。
【００３２】
上記ハードウェアには、制御部１０としてのＣＰＵの他、記憶部２０、通信部、表示部及び入力部が含まれる。記憶部２０としては、例えば、メモリ（ＲＡＭ、ＲＯＭ等）、ハードディスクドライブ（ＨＤＤ）及び光ディスク（ＣＤ、ＤＶＤ等）ドライブが挙げられる。通信部としては、例えば、各種有線及び無線インターフェース装置が挙げられる。表示部としては、例えば、液晶ディスプレイ、プラズマディスプレイ等の各種ディスプレイが挙げられる。入力部としては、例えば、キーボード及びポインティング・デバイス（マウス、トラッキングボール等）が挙げられる。
【００３３】
上記ソフトウェアには、上記ハードウェアを制御するコンピュータ・プログラムやデータが含まれる。コンピュータ・プログラムやデータは、記憶部２０により記憶され、制御部１０により適宜実行、参照される。また、コンピュータ・プログラムやデータは、通信回線を介して配布することも可能であり、ＣＤ−ＲＯＭ等のコンピュータ可読媒体に記録して配布することも可能である。
【００３４】
監視装置１の制御部１０は、要求受付部１１と、監視対象取得手段としてのページデータ取得部１２と、レンダリング部１３と、画像化手段としての画像化部１４と、比較手段としての画像比較部１５と、監視画像生成手段としての監視画像生成部１６と、監視画像保存部１７とを備える。また、監視装置１の記憶部２０は、監視端末３からアクセス可能な監視画像ＤＢ２１を備える。
【００３５】
要求受付部１１は、定期的に監視画像ＤＢ２１を参照し、監視端末３により監視画像の取得要求が書き込まれている場合に、この要求データを受け付ける。
【００３６】
図２は、本実施形態に係る監視画像ＤＢ２１に格納されている監視画像テーブルを示す図である。監視画像テーブルには、監視端末３により、監視するＷｅｂページのＵＲＬと、監視対象のＷｅｂサーバの識別子と、ページデータの取得日時とが記憶される。ここで、監視対象のＷｅｂサーバは複数であってよい。また、取得日時は、即時であってもよいし、予約された未来の日時であってもよい。さらに、監視画像テーブルには、後述の監視画像保存部１７により、監視画像データ又は監視画像データのファイル名等の識別子が記憶される。
【００３７】
ページデータ取得部１２は、要求受付部１１により受け付けられた要求データに基づいて、指定日時に指定のＷｅｂサーバ２へ、指定ＵＲＬのＷｅｂページ画面の閲覧要求を通信部により送信する。そして、ページデータ取得部１２は、Ｗｅｂサーバ２で管理されているページデータを通信部により受信する。
【００３８】
レンダリング部１３は、ページデータ取得部１２により取得されたページデータのそれぞれをレンダリングし、Ｗｅｂページ画面を生成する。具体的には、レンダリング部１３は、記憶部２０に格納されている所定のブラウザソフトウェアを起動し、取得されたページデータを入力して、表示部に出力可能なＷｅｂページの画面表示データを生成する。このブラウザソフトウェアは、一般ユーザが使用するクライアント端末が有するものと同等であることが好ましい。このとき、レンダリング部１３は、ページデータの中に広告欄等、閲覧要求の度に表示が変化する部分がある場合、この変化する部分を所定の表示（例えば、ブランク表示や説明コメント表示）に置き換えたＷｅｂページ画面を生成する。
【００３９】
画像化部１４は、レンダリング部１３により生成されたＷｅｂページ画面のそれぞれを、所定のフォーマット（例えば、ＧＩＦ）のページ画像データに変換する。具体的には、画像化部１４は、上記のブラウザソフトウェアにより生成された画面表示データを画像データとして取り込み、所定のフォーマットに変換する。
【００４０】
画像比較部１５は、画像化部１４により変換されたページ画像データのそれぞれを比較し、一致するか否かを判断する。また、画像比較部１５は、比較した際に他のページ画像データと異なる部分を検出する。
【００４１】
監視画像生成部１６は、画像化部１４により変換された複数のページ画像データを連結し、１つの監視画像データを生成する。このとき、監視画像生成部１６は、画像比較部１５により互いに一致すると判断された所定以上の割合のページ画像データに対して、異なるページ画像データを強調表示する監視画像データを生成する。ここで、強調表示とは、具体的には、ページ画像毎の枠の形状や色を変化させたり、点滅等の演出表示を行うことをいう。
【００４２】
さらに、監視画像生成部１６は、画像比較部１５により検出されたページ画像データの異なる部分が表示されるように、監視対象のページ画像データの全てを一様にトリミングした後、これらのページ画像データを並べた監視画像データを生成する。
【００４３】
監視画像保存部１７は、監視画像生成部１６により生成された監視画像データ、又は監視画像データのファイル名等の識別子を、監視画像ＤＢ２１の監視画像テーブル（図２）に記憶する。そして、監視画像テーブル（図２）に記憶された監視画像データは、管理者の要求に応じて監視端末３から参照され、監視端末３において画面表示される。
【００４４】
［処理フロー］
図３は、本実施形態に係る監視装置１における処理の流れを示すフローチャートである。
【００４５】
ステップＳ１において、制御部１０（要求受付部１１）は、監視画像ＤＢ２１を参照し、監視画像取得の要求として、ＷｅｂページのＵＲＬ、Ｗｅｂサーバ及び取得日時の指定を受け付ける。
【００４６】
ステップＳ２において、制御部１０（ページデータ取得部１２）は、ステップＳ１で受け付けた要求に基づいて、Ｗｅｂページの閲覧要求をＷｅｂサーバ２へ送信し、監視対象のページデータを取得する。
【００４７】
ステップＳ３において、制御部１０（レンダリング部１３）は、ステップＳ２で取得されたページデータから、広告欄等、閲覧要求の度に表示が変化する部分を検出する。そして、制御部１０は、この部分を、例えばブランク表示や説明コメント表示等を示す所定の記述に置き換える。
【００４８】
ステップＳ４において、制御部１０（レンダリング部１３）は、ページデータをレンダリングし、それぞれのＷｅｂページ画面を生成する。
【００４９】
ステップＳ５において、制御部１０（画像化部１４）は、ステップＳ４で生成されたＷｅｂページ画面のそれぞれを、ＧＩＦ等の所定フォーマットのページ画像データへ変換する。
【００５０】
ステップＳ６において、制御部１０（画像比較部１５）は、ステップＳ５で変換されたページ画像データのそれぞれを相互比較し、ステップＳ３で検出された部分を除いて、相違部分を検出する。
【００５１】
ステップＳ７において、制御部１０（監視画像生成部１６）は、ステップＳ５で変換された複数のページ画像データを、ステップＳ６で検出された部分を含むように一様にトリミングした後、連結して１つの監視画像データを生成する。このとき、他の多くと一致していない少数のページ画像データは強調されて監視画像データが生成される。
【００５２】
ステップＳ８において、制御部１０（監視画像保存部１７）は、ステップＳ７で生成された監視画像データ、又は監視画像データのファイル名等の識別子を、監視画像ＤＢ２１の監視画像テーブル（図２）に保存する。
【００５３】
ステップＳ９において、制御部１０は、本処理を終了するか否かを判断する。具体的には、制御部１０は、監視装置１のユーザ（管理者）から、入力部を介して本処理を終了する指示入力を受け付けた場合や、所定のイベント（割り込み処理）が発生した場合に終了すると判断する。制御部１０は、この判定がＹＥＳの場合に処理を終了し、判定がＮＯの場合に処理をステップＳ１に戻して、別の監視画像の取得要求を受け付ける。
【００５４】
［画面表示例］
図４は、本実施形態に係る監視端末３における画面表示例を示す図である。
この例では、監視対象のページデータに基づいて生成されたＷｅｂページ画面の画像が並べて表示されている。なお、Ｗｅｂページ画面が多数で１つのウィンドウに収まらない場合には、表示ウィンドウにスクロールバーが設けられ、全てのＷｅｂページ画面が確認可能である。
【００５５】
ここで、監視対象のＷｅｂページ画面の画像３０は、周囲のＷｅｂページ画面の画像と異なっているため、表示枠が強調されている。また、表示が異なる可能性が高い広告欄は、全てのＷｅｂページ画面の画像において同様の表示「広告」に置き換えられている。
【００５６】
以上のように、本実施形態によれば、監視対象のＷｅｂページのレンダリング処理を監視装置１で行い、１つの監視画像データを生成する。したがって、監視端末は、１つの監視画像データを表示するのみで、複数のＷｅｂページ画面の比較表示ができ、処理負荷を抑制できる。なお、監視装置１は、監視端末３や他の一般ユーザの端末と同様のクライアント端末であるため、一般のユーザが利用している端末と同等のレンダリング機能を有する。したがって、管理者は、一般のユーザが目にするＷｅｂページ画面と同等の画像により高精度に監視できる。
【００５７】
また、監視装置１は、ページデータの中に、広告欄等の閲覧要求の度に表示が変化する部分がある場合、この部分を所定の表示に置き換えて監視画像データを生成する。したがって、管理者は、複数のＷｅｂページ画面を比較する際に、表示が異なっていても異常ではない部分を容易に判断できるので、管理者の判断ミスが低減し、監視精度の向上が期待できる。
【００５８】
また、監視装置１は、ページ画像データのそれぞれを比較し、他の多数の画像と異なるページ画像データを強調表示する。したがって、管理者は、強調表示されたＷｅｂページ画面を容易に発見できるので、他の多くの画面と異なるＷｅｂページ画面を提供している監視対象のＷｅｂサーバを容易に検出できる。
【００５９】
また、監視装置１は、ページ画像データの相違部分が表示されるように、ページ画像データの全てを一様にトリミングした後、監視画像データを生成する。したがって、管理者は、異常の可能性がある箇所を容易に発見できるので、検出漏れが低減し、監視精度を向上が期待できる。
【００６０】
＜第２実施形態＞
以下、本発明の第２実施形態について図を参照しながら説明する。なお、第１実施形態と同様の構成には同一の符号を付し、説明を省略又は簡略化する。
【００６１】
［機能構成］
図５は、本実施形態に係る監視装置１の機能構成を示す図である。
第１実施形態では、監視装置１は、クライアント端末として説明したが、本実施形態では、監視装置１ａは、要求受信及び応答送信のサービスを提供するサーバ装置である。監視装置１ａと監視端末３ａとは、所定のネットワーク（例えば、社内ＬＡＮ）に属し、監視装置１ａと複数のＷｅｂサーバ２とは、ネットワークを介して互いに接続されている。
【００６２】
監視装置１ａの制御部１０ａは、第１実施形態の制御部１０と比べて、要求受付部１１が要求受付部１１ａに、監視画像保存部１７が監視画像送信部１７ａに変更されている。また、監視装置１ａの記憶部には、第１実施形態の監視画像ＤＢ２１は不要である。
【００６３】
要求受付部１１ａは、監視端末３ａから、監視画像の取得要求を示すデータを受け付ける。この取得要求を示すデータは、第１実施形態と同様に、監視するＷｅｂページのＵＲＬと、監視対象のＷｅｂサーバの識別子と、ページデータの取得日時とを含む。
【００６４】
ページデータ取得部１２、レンダリング部１３、画像化部１４、画像比較部１５及び監視画像生成部１６は、第１実施形態と同様である。すなわち、監視装置１ａの制御部１０ａは、指定のＷｅｂサーバ２から指定日時に取得した指定ＵＲＬのページデータに基づくＷｅｂページ画面を、画像化して連結することにより、監視画像データを生成する。
【００６５】
監視画像送信部１７ａは、生成された監視画像データを、要求元である監視端末３ａに送信する。これにより、監視画像が監視端末３ａにおいて画面表示され、管理者に提供される。
【００６６】
本実施形態によれば、監視装置１ａは、監視端末３ａからの要求を即時処理して応答できるサーバ装置である。したがって、監視装置１ａは、特に監視画像を即時に取得することが希望された場合、監視画像ＤＢ２１を介することなく、タイムリーに監視画像データを生成し、監視端末３ａへ提供できる。
【００６７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６８】
１、１ａ  監視装置
２  Ｗｅｂサーバ
３、３ａ  監視端末
１０、１０ａ  制御部
１１、１１ａ  要求受付部
１２  ページデータ取得部（監視対象取得手段）
１３  レンダリング部
１４  画像化部（画像化手段）
１５  画像比較部（比較手段）
１６  監視画像生成部（監視画像生成手段）
１７  監視画像保存部
１７ａ  監視画像送信部
２０  記憶部
２１  監視画像ＤＢ
【図１】
2011170478.tif 000003
【図２】
2011170478.tif 000004
【図３】
2011170478.tif 000005
【図４】
2011170478.tif 000006
【図５】
2011170478.tif 000007